(57)【特許請求の範囲】
【請求項１】
ロック待ち時間が記録されるロック待ち時間記憶部と、
該ロック待ち時間記憶部に記録されているロック待ち時間以上連続して、入力操作が行われなかった場合、表示部にロック画面を表示すると共に、自機器をロック状態にするロック手段と、
自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更するロック解除手段と、を備え、
前記ロック解除手段は、前記パスワード入力欄に正しいパスワードが入力され、且つ、前記変更操作部である延長ボタンが操作されることにより、自機器のロックを解除すると共に、前記ロック待ち時間記憶部に記録されているロック待ち時間と予め定められている延長時間とを加算し、加算結果を前記ロック待ち時間記憶部に記録する、
ことを特徴とする電子機器。
【請求項２】
ロック待ち時間が記録されるロック待ち時間記憶部と、
該ロック待ち時間記憶部に記録されているロック待ち時間以上連続して、入力操作が行われなかった場合、表示部にロック画面を表示すると共に、自機器をロック状態にするロック手段と、
自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更するロック解除手段と、を備え、
前記ロック解除手段は、前記パスワード入力欄に正しいパスワードが入力され、且つ、前記変更操作部である短縮ボタンが操作されることにより、自機器のロックを解除すると共に、前記ロック待ち時間記憶部に記録されているロック待ち時間から予め定められている短縮時間を減算し、減算結果を前記ロック待ち時間記憶部に記録する、
ことを特徴とする電子機器。
【請求項３】
請求項１または２記載の電子機器において、
前記ロック解除画面は、ロック待ち時間を予め定められている標準時間にする際に操作する標準操作部を有し、
前記ロック解除手段は、前記パスワード入力欄に正しいパスワードが入力され、且つ、前記標準操作部が操作されることにより、自機器のロックを解除すると共に、前記ロック待ち時間記憶部に前記基準時間を記録することを特徴とする電子機器。
【請求項４】
請求項１乃至３の何れか１項に記載の電子機器において、
消灯待ち時間を記録消灯待ち時間記憶部を備え、且つ、
前記ロック手段は、前記消灯待ち時間記憶部に記録されている消灯待ち時間以上連続して、入力操作が行われなかった場合、前記表示部に表示する画面の明度を低下させ、その後、所定時間以内に入力操作が行われた場合、前記消灯待ち時間記憶部に記録されている消灯待ち時間を変更することを特徴とする電子機器。
【請求項５】
ロック待ち時間が記録されるロック待ち時間記憶部と、ロック手段と、ロック解除手段とを備えたコンピュータが実行するロック待ち時間変更方法であって、
前記ロック手段が、前記ロック待ち時間記憶部に記録されているロック待ち時間以上連続して、入力操作が行われなかった場合、表示部にロック画面を表示すると共に、自機器をロック状態にし、
前記ロック解除手段が、自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更し、
さらに、前記ロック解除手段は、前記パスワード入力欄に正しいパスワードが入力され、且つ、前記変更操作部である延長ボタンが操作されることにより、自機器のロックを解除すると共に、前記ロック待ち時間記憶部に記録されているロック待ち時間と予め定められている延長時間とを加算し、加算結果を前記ロック待ち時間記憶部に記録する、
ことを特徴とするロック待ち時間変更方法。
【請求項６】
ロック待ち時間が記録されるロック待ち時間記憶部と、ロック手段と、ロック解除手段とを備えたコンピュータが実行するロック待ち時間変更方法であって、
前記ロック手段が、前記ロック待ち時間記憶部に記録されているロック待ち時間以上連続して、入力操作が行われなかった場合、表示部にロック画面を表示すると共に、自機器をロック状態にし、
前記ロック解除手段が、自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更し、
さらに、前記ロック解除手段は、前記パスワード入力欄に正しいパスワードが入力され、且つ、前記変更操作部である短縮ボタンが操作されることにより、自機器のロックを解除すると共に、前記ロック待ち時間記憶部に記録されているロック待ち時間から予め定められている短縮時間を減算し、減算結果を前記ロック待ち時間記憶部に記録する、
ことを特徴とするロック待ち時間変更方法。
【請求項７】
ロック待ち時間が記録されるロック待ち時間記憶部を備えたコンピュータを、
前記ロック待ち時間記憶部に記録されているロック待ち時間以上連続して、入力操作が行われなかった場合、表示部にロック画面を表示すると共に、自機器をロック状態にするロック手段、
自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更するロック解除手段、として機能させるためのプログラムであり、
前記ロック解除手段は、前記パスワード入力欄に正しいパスワードが入力され、且つ、前記変更操作部である延長ボタンが操作されることにより、自機器のロックを解除すると共に、前記ロック待ち時間記憶部に記録されているロック待ち時間と予め定められている延長時間とを加算し、加算結果を前記ロック待ち時間記憶部に記録する、
ことを特徴とするプログラム。
【請求項８】
ロック待ち時間が記録されるロック待ち時間記憶部を備えたコンピュータを、
前記ロック待ち時間記憶部に記録されているロック待ち時間以上連続して、入力操作が行われなかった場合、表示部にロック画面を表示すると共に、自機器をロック状態にするロック手段、
自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更するロック解除手段、として機能させるためのプログラムであり、
前記ロック解除手段は、前記パスワード入力欄に正しいパスワードが入力され、且つ、前記変更操作部である短縮ボタンが操作されることにより、自機器のロックを解除すると共に、前記ロック待ち時間記憶部に記録されているロック待ち時間から予め定められている短縮時間を減算し、減算結果を前記ロック待ち時間記憶部に記録する、
ことを特徴とするプログラム。
【発明の詳細な説明】
【技術分野】
【０００１】
本発明は、スクリーンロック機能を備えた電子機器、ロック待ち時間変更方法、及びプログラムに関する。
【背景技術】
【０００２】
近年、スマートフォン、携帯電話機、パーソナルコンピュータ（ＰＣ）など、多くの電子機器がスクリーンロック機能を備えるようになってきている。スクリーンロック機能とは、ロック待ち時間以上連続して入力操作が行われなかった場合、表示部にロック画面を表示し、ロック解除操作以外の操作をできなくする機能である。このような機能を備えることにより、他人に表示画面や記録データが盗み見られる危険性を減らし、セキュリティを高いものにすることができる。
【０００３】
ところで、周囲の状況に応じてセキュリティを堅牢にする必要がある場合と、余り堅牢にする必要がない場合がある。例えば、自宅などでは他人にデータを盗み見られる危険性が低いので、セキュリティを余り堅牢にする必要はない。これに対し、車両内などでは、他人にデータを盗み見られる危険性が高いので、セキュリティを堅牢にする必要がある。
【０００４】
セキュリティの堅牢度は、ロック待ち時間によって決まる。ロック待ち時間を短くすると、セキュリティは堅牢になるが、すぐにロックされるため、利便性が低くなってしまう。反対に、ロック待ち時間を長くすると、ロックされにくくなるため、利便性は向上するが、セキュリティ的には脆弱になってしまう。
【０００５】
従って、自宅などでは、ロック待ち時間を長くして利便性を高くし、車両内などでは、ロック待ち時間を短くしてセキュリティを堅牢にするというように、周囲の状況に応じてロック待ち時間を変更することが望ましい。
【０００６】
ところで、ロック画面が表示されているときに、ロック待ち時間を変更しようとすると、次のような操作が必要になる。先ず、入力操作を行い、ロック解除画面を表示する。次に、ロック解除画面に設けられているパスワードの入力欄にパスワードを入力し、ロックを解除する。これにより、表示部には、通常画面が表示される。その後、設定画面を表示し、この設定画面を用いてロック待ち時間を変更する（例えば、特許文献１，２参照）。
【先行技術文献】
【特許文献】
【０００７】
【特許文献１】特開２０００−１６３０３４号公報
【特許文献２】特開２０１１−１９８１６８号公報
【発明の概要】
【発明が解決しようとする課題】
【０００８】
上述したように、ロック待ち時間を変更する場合には、先ず、ロック解除画面を表示し、次いで、ロック解除画面を用いてロック解除操作を行い、その後、設定画面を用いてロック待ち時間の変更操作を行わなければならず、ロック解除時に、ロック解除操作とロック待ち時間の変更操作とを同時に行うことができないという課題がある。
【０００９】
[本発明の目的]
そこで、本発明の目的は、ロック解除時に、ロック解除操作とロック待ち時間の変更操作とを同時に行うことができないという課題を解決した電子機器を提供することにある。
【課題を解決するための手段】
【００１０】
本発明に係る電子機器は、
ロック待ち時間が記録されるロック待ち時間記憶部と、
該ロック待ち時間記憶部に記録されているロック待ち時間以上連続して、入力操作が行われなかった場合、表示部にロック画面を表示すると共に、自機器をロック状態にするロック手段と、
自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更するロック解除手段とを備える。
【００１１】
本発明に係るロック待ち時間変更方法は、
ロック待ち時間が記録されるロック待ち時間記憶部と、ロック手段と、ロック解除手段とを備えたコンピュータが実行するロック待ち時間変更方法であって、
前記ロック手段が、前記ロック待ち時間記憶部に記録されているロック待ち時間以上連続して、入力操作が行われなかった場合、表示部にロック画面を表示すると共に、自機器をロック状態にし、
前記ロック解除手段が、自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更する。
【００１２】
本発明に係るプログラムは、
ロック待ち時間が記録されるロック待ち時間記憶部を備えたコンピュータを、
前記ロック待ち時間記憶部に記録されているロック待ち時間以上連続して、入力操作が行われなかった場合、表示部にロック画面を表示すると共に、自機器をロック状態にするロック手段、
自機器がロック状態のときに入力操作が行われた場合、前記表示部に、パスワード入力欄と変更操作部とを有するロック解除画面を表示し、前記パスワード入力欄に入力されたパスワードに応じてロック状態を解除するか否かを決定し、解除すると決定した場合に前記変更操作部の操作に応じて、前記ロック待ち時間記憶部に記録されているロック待ち時間を変更するロック解除手段として機能させる。
【発明の効果】
【００１３】
本発明によれば、ロック解除時に、ロック解除操作とロック待ち時間の変更操作とを同時に行うことができるという効果を得ることができる。
【図面の簡単な説明】
【００１４】
【図１】本発明の第１の実施の形態に係る電子機器の構成例を示すブロック図である。
【図２】ロック解除手段２の構成例を示すブロック図である。
【図３】第１の実施の形態におけるロック解除画面の一例を示す図である。
【図４】ロック手段１の処理例を示すフローチャートである。
【図５】ロック解除手段２の制御手段２１の処理例を示すフローチャートである。
【図６】第１の実施の形態におけるロック解除画面の他の例を示す図である。
【図７】第２の実施の形態におけるロック解除手段２ａの構成例を示すブロック図である。
【図８】第２の実施の形態におけるロック解除画面の一例を示す図である。
【図９】ロック解除手段２ａの制御手段２１ａの処理例を示すフローチャートである。
【図１０】第２の実施の形態におけるロック解除画面の他の例を示す図である。
【図１１】本発明の第３の実施の形態に係る電子機器の構成例を示すブロック図である。
【図１２】ロック手段１ａの処理例を示すフローチャートである。
【図１３】本発明の第４の実施の形態に係る電子機器の構成例を示すブロック図である。
【発明を実施するための形態】
【００１５】
次に、図面を参照して本発明の実施の形態について詳細に説明する。
【００１６】
[本発明の第１の実施の形態]
次に、本発明の第１の実施の形態について説明する。図１を参照すると、本発明の第１の実施の形態に係るスマートフォン、携帯電話機、ＰＣ等の電子機器１０は、ロック手段１と、ロック解除手段２と、ロック待ち時間記憶部３と、タッチパネルや入力キー等から構成される入力部４と、ＬＣＤ等の表示部５とを備えている。
【００１７】
ロック待ち時間記憶部３には、ロック待ち時間が記録される。
【００１８】
ロック手段１は、ロック待ち時間記憶部３に記録されているロック待ち時間以上連続して入力操作が行われなかった場合、表示部５にロック画面を表示する機能や、自機器１０をロック状態にし、ロック解除操作以外の操作を行えなくする機能を有する。ロック画面は、例えば、スクリーンセーバ画面であっても良いし、バックライトを消灯したものであっても良い。
【００１９】
ロック解除手段２は、図２に示すように、制御手段２１と、デフォルト値記憶部２２と、延長時間記憶部２３と、短縮時間記憶部２４とを備えている。
【００２０】
デフォルト値記憶部２２には、ロック待ち時間のデフォルト値が記録されている。延長時間記憶部２３には、予め定められている延長時間が記録されている。短縮時間記憶部２４には、予め定められている短縮時間が記録されている。
【００２１】
制御手段２１は、次のような機能を有する。
【００２２】
・自機器１０がロック状態のときに、入力部４が操作された場合、表示部５にロック解除画面を表示する機能。図３は、ロック解除画面の一例を示す図であり、パスワードの入力欄３１と、ＯＫボタン３２と、延長ボタン３３と、短縮ボタン３４とを有している。
【００２３】
・パスワードの入力欄３１に正しいパスワードが入力され、且つ、ＯＫボタン３２が操作された場合、デフォルト値記憶部２２からロック待ち時間のデフォルト値を入力し、入力したデフォルト値をロック待ち時間記憶部３に記録し、その後、自機器１０のロックを解除する機能。
【００２４】
・パスワードの入力欄３１に正しいパスワードが入力され、且つ、延長ボタン３３が操作された場合、ロック待ち時間記憶部３及び延長時間記憶部２３からロック待ち時間及び延長時間を入力して両者を加算し、加算結果をロック待ち時間記憶部３に記録し、その後、自機器１０のロックを解除する機能。
【００２５】
・パスワードに入力欄３１に正しいパスワードが入力され、且つ、短縮ボタン３４が操作された場合、ロック待ち時間記憶部３及び短縮時間記憶部２４からロック待ち時間及び短縮時間を入力し、ロック待ち時間から短縮時間を減算し、減算結果をロック待ち時間記憶部３に記録し、その後、自機器１０のロックを解除する機能。
【００２６】
なお、ロック手段１及びロック解除手段２は、ＣＰＵ（中央処理装置）によって実現可能であり、その場合は、例えば、次のようにする。ＣＰＵをロック手段１およびロック解除手段２として機能させるためのプログラムを記録したディスク、半導体メモリ、その他の記録媒体を用意し、ＣＰＵに上記プログラムを読み取らせる。ＣＰＵは、読み取ったプログラムに従って、自身の動作を制御することにより、自ＣＰＵ上に、ロック手段１およびロック解除手段２を実現する。
【００２７】
次に、本実施の形態の動作について詳細に説明する。
【００２８】
ロック手段４１は、図４のフローチャートに示すように、ロック待ち時間記憶部３に記録されているロック待ち時間以上連続して、入力部４が操作されなかった場合（ステップＳ４１がＹｅｓ）、表示部５にロック画面を表示し、自機器１０をロックする（ステップＳ４２，Ｓ４３）。これにより、電子機器１０では、ロック解除操作以外の操作ができなくなる。また、ロック解除手段２は、自機器１０がロックされると、図５のフローチャートに示す処理を開始する。
【００２９】
ロック解除手段２内の制御手段２１は、自機器１０がロックされた後に、入力部４が操作されると（図５のステップＳ５１がＹｅｓ）、図３に示すロック解除画面を表示部５に表示する（ステップＳ５２）。
【００３０】
ユーザは、ロック解除画面が表示されると、入力欄３１にパスワードを入力し、その後、ＯＫボタン３２、延長ボタン３３、及び短縮ボタン３４の内の何れか１つのボタンを操作する。即ち、ロック待ち時間をデフォルト値にするのであれば、ＯＫボタン３２を操作し、ロック待ち時間を現在のロック待ち時間よりも長くするのであれば、延長ボタン３３を操作し、ロック待ち時間を現在のロック待ち時間よりも短くするのであれば、短縮ボタン３４を操作する。
【００３１】
ロック解除手段２内の制御手段２１は、入力されたパスワードが誤っている場合（ステップＳ５３がＮｏ）は、ロック手段１に対してロック指示を出力し（ステップＳ５９）、その後、ステップＳ５１の処理を行う。ロック手段１は、ロック解除手段２からロック指示が送られてくると（図４のステップＳ４５がＹｅｓ）、表示部５にロック画面を表示する（ステップＳ４２）。
【００３２】
これに対して、正しいパスワードが入力された場合（ステップＳ５３がＹｅｓ）は、パスワード入力後に操作されたボタンが、ＯＫボタン３２、延長ボタン３３、及び、短縮ボタン３４の何れであるかを判定する（ステップＳ５４）。
【００３３】
そして、ＯＫボタン３２が操作されたと判定した場合は、制御手段２１は、デフォルト値記憶部２２からロック待ち時間のデフォルト値を入力し、入力したデフォルト値をロック待ち時間記憶部３に記録する（ステップＳ５５）。
【００３４】
また、延長ボタン３３が操作されたと判定した場合は、制御手段２１は、ロック待ち時間記憶部３および延長時間記憶部２３からロック待ち時間および延長時間を入力して両者を加算し、加算結果をロック待ち時間記憶部３に記録する（ステップＳ５６）。
【００３５】
また、短縮ボタン３４が操作されたと判定した場合は、制御手段２１は、ロック待ち時間記憶部３および短縮時間記憶部２４からロック待ち時間および短縮時間を入力する。そして、ロック待ち時間から短縮時間を減算し、減算結果をロック待ち時間記憶部３に記録する（ステップＳ５７）。
【００３６】
ステップＳ５５〜Ｓ５７の何れかが行われた後、制御手段２１は、自機器１０のロックを解除する（ステップＳ５８）。これにより、表示部５には、通常画面が表示される。また、ロック手段１は、ロックが解除されると（図４のステップＳ４４がＹｅｓ）、ステップＳ４１の処理を行う。
【００３７】
なお、図３に示したロック解除画面は一例であり、例えば、図６に示すようなロック解除画面を利用することもできる。図６に示したロック解除画面は、入力欄６１と、ＯＫボタン６２と、スライド操作部６３とを有している。
【００３８】
入力欄６１は、図３に示した入力欄３１と同様にパスワードを入力するための入力欄である。ＯＫボタン６２は、図３に示したＯＫボタン３２と同様にロック待ち時間をデフォルト値にする場合に操作するボタンである。スライド操作部６３は、ロック待ち時間を延長あるいは短縮する場合い操作する操作部である。ユーザは、ロック待ち時間を延長させる場合は、スライド操作部６３上で指を左から右へ移動させる。また、ロック待ち時間を短縮する場合は、スライド操作部６３上で指を右から左へ移動させる。
【００３９】
図６のロック解除画面を利用する場合、ロック解除部２内の制御手段２１が行う処理が、前述した処理と多少異なるものとなる。具体的には、図５のステップＳ５４の処理を、次のように変更することが必要になる。即ち、図６のロック解除画面を利用する場合には、ステップＳ５４において、ＯＫボタン６２が操作されたのか、スライド操作部６３上を指が左から右に移動したのか、スライド操作部６３上を指が右から左に移動したのかを判定する。
【００４０】
そして、ＯＫボタン６２が操作されたと判断した場合は、前述したステップＳ５５と同様の処理を行う。また、指が左から右に移動したと判断した場合は、前述したステップＳ５６と同様の処理を行う。また、指が右から左に移動したと判断した場合は、前述したステップＳ５７と同様の処理を行う。上記処理以外は、前述した処理と同様である。
【００４１】
[第１の実施の形態の効果]
本実施の形態によれば、ロック解除時に、ロック解除操作とロック待ち時間の変更操作とを同時に行うことができるという効果を得ることができる。その理由は、ロック解除画面上に、パスワードの入力欄と、延長ボタン、短縮ボタン、スライド操作部などの変更操作部を設けたからである。
【００４２】
また、本実施の形態によれば、ロック待ち時間を延長、或いは短縮した場合であっても容易にロック待ち時間をデフォルトに戻すことができるという効果を得ることができる。その理由は、ロック解除画面が表示されたタイミングで、ＯＫボタンを操作するだけで、ロック待ち時間をデフォルト値に戻すことができるからである。
【００４３】
また、ＯＫボタンを操作するだけで、ロック待ち時間をデフォルトに戻すことができるので、設定の戻し忘れが発生する危険性を少なくすることができる。例えば、ロック待ち時間を延長した場合に、設定を戻し忘れると、セキュリティが脆弱な状態が長く続くが、本実施の形態では、設定の戻し忘れが発生する危険性が少ないので、そのような事態が発生する危険性を少ないものにすることができる。
【００４４】
[本発明の第２の実施の形態]
次に、本発明の第２の実施の形態について説明する。
【００４５】
本実施の形態は、図１に示した電子機器１０において、ロック解除手段２の代わりに図７に示したロック解除手段２ａを使用することにより実現される。
【００４６】
ロック解除手段２は、制御手段２１ａと、入力値記憶部２２ａとを備えている。
【００４７】
制御手段２１ａは、次のような機能を有する。
【００４８】
・自機器１０がロック状態のときに、入力部４が操作された場合、表示部５にロック解除画面を表示する機能。図８は、ロック解除画面の一例を示す図であり、パスワードの入力欄８１と、ＯＫボタン８２と、ロック待ち時間の入力欄８３と、変更ボタン８４とを有している。
【００４９】
・自機器１０がロック状態のときに、入力部４が操作された場合、ロック待ち時間記憶部３からロック待ち時間を入力し、入力したロック待ち時間を入力欄８３に設定（表示）すると共に入力値記憶部２２ａに記録する機能。
【００５０】
・入力部４から入力欄８３にロック待ち時間が入力されたとき、入力されたロック待ち時間を入力欄８３に設定すると共に、入力値記憶部２２ａに記録する機能。
【００５１】
・パスワードの入力欄８１に正しいパスワードが入力され、且つ、ＯＫボタン８２が操作されたとき、自機器１０のロックを解除する機能。
【００５２】
・パスワードの入力欄８１に正しいパスワードが入力され、且つ、変更ボタン８４が操作されたとき、入力値記憶部２２ａからロック待ち時間を入力してロック待ち時間記憶部３に記録し、その後、自機器１０のロックを解除する機能。
【００５３】
なお、本実施の形態においても、第１の実施の形態と同様に、ＣＰＵを用いてロック手段１及びロック解除手段２ａを実現することができる。
【００５４】
次に、本実施の形態の動作を説明する。なお、ロック解除手段２ａの動作以外は、第１の実施の形態と同様であるので、ここでは、ロック解除手段２ａの動作のみ、説明する。
【００５５】
ロック解除手段２ａ内の制御手段２１ａは、自機器１０がロックされた後に、入力部４が操作されると（図９のステップＳ９１がＹｅｓ）、図８に示すロック解除画面を表示部５に表示する（ステップＳ９２）。その後、制御手段２１ａは、ロック待ち時間記憶部３に記録されている現在のロック待ち時間を入力し、入力欄８３に設定すると共に、入力値記憶部２２ａに記録する（ステップＳ９３）。
【００５６】
表示部５に図８に示すロック解除画面が表示されると、ユーザは、入力欄８１にパスワードを入力する。また、ユーザがロック待ち時間を変更する場合（現在のロック待ち時間は、入力欄８３に設定されている）は、入力部４を操作し、入力欄８３に変更後のロック待ち時間を入力し、その後、変更ボタン８４を操作する。また、ロック待ち時間を変更しない場合は、ＯＫボタンを操作する。
【００５７】
制御手段２１ａは、入力されたパスワードが誤っている場合（ステップＳ９４がＮｏ）は、ロック手段１に対してロック指示を出力し（ステップＳ１０１）、その後、ステップＳ９１の処理を行う。
【００５８】
これに対して、入力されたパスワードが正しい場合（ステップＳ９４がＹｅｓ）は、入力欄８３にロック待ち時間が入力されたか否かを判定する（ステップＳ９５）。そして、ロック待ち時間が入力されたと判定した場合（ステップＳ９５がＹｅｓ）は、入力されたロック待ち時間を入力値記憶部２２ａに記録した後（ステップＳ９６）、ステップＳ９７の処理を行う。これに対して、ロック待ち時間が入力されていないと判定した場合（ステップＳ９５がＮｏ）、直ちにステップＳ９７の処理を行う。
【００５９】
ステップＳ９７では、変更ボタン８４が操作されたか否かを判定する。そして、変更ボタン８４が操作された場合（ステップＳ９７がＹｅｓ）は、入力値記憶部２２ａに記録されているロック待ち時間を入力し、入力したロック待ち時間をロック待ち時間記憶部３に記録する（ステップＳ９８）。その後、制御手段２１ａは、自機器１０のロックを解除する。これに対して、変更ボタン８４が操作されていないと判定した場合（ステップＳ９７がＮｏ）は、ＯＫボタン８２が操作されたか否かを判定する（ステップＳ９９）。
【００６０】
そして、ＯＫボタン８２が操作されたと判定した場合（ステップＳ９９がＹｅｓ）は、自機器１０のロックを解除する（ステップＳ１００）。この場合は、ロック待ち時間は変更されない。これに対して、ＯＫボタン８４が操作されていないと判定した場合（ステップＳ９９がＮｏ）は、ステップＳ９５の処理に戻る。
【００６１】
なお、図８に示したロック解除画面は一例であり、例えば、図１０に示すようなロック解除画面を利用することもできる。図１０のロック解除画面は、入力欄１０１，１０２と、スライド操作部１０３とを有している。
【００６２】
入力欄１０１は、図８に示した入力欄８１と同様にパスワードを入力するための入力欄である。また、入力欄１０２は、図８に示した入力欄８２と同様にロック待ち時間を入力するための入力欄である。スライド操作１０３は、ロック待ち時間を変更するか否かを指示するための操作部である。ユーザは、ロック待ち時間を変更しない場合は、スライド操作部８３上で指を左から右に移動させる。また、ロック待ち時間を変更する場合は、スライド操作部８３上で指を右から左に移動させる。
【００６３】
図１０のロック解除画面を利用する場合、ロック解除部２ａ内の制御手段２１ａが行う処理が、前述した処理と多少異なるものとなる。具体的には、図９のステップＳ９７，Ｓ９９の処理を、次のように変更することが必要になる。即ち、図１０のロック解除画面を利用する場合には、ステップＳ９７において、スライド操作部１０３上を指が右から左に移動したか否かを判定する。そして、右から左に移動したと判定した場合は、ステップＳ９８の処理を行い、そうでない場合は、ステップＳ９９の処理を行う。また、ステップＳ９９では、スライド操作部１０３上を指が左から右に移動したか否かを判定する。そして、左から右に移動したと判定した場合は、ステップＳ１００の処理を行い、そうでない場合は、ステップＳ９５の処理を行う。
【００６４】
[第２の実施の形態の効果]
本実施の形態によれば、ロック解除時に、ロック解除操作と、ロック待ち時間の設定操作とを同時に行うことができるという効果を得ることができる。その理由は、ロック解除画面上にパスワードの入力欄と、変更ボタンやスライド操作部等の変更操作部と、ロック待ち時間の入力欄とを設けたからである。
【００６５】
[本発明の第３の実施の形態]
次に、本発明の第３の実施の形態について詳細に説明する。本実施の形態は、スクリーンロック機能に加え、入力操作が消灯待ち時間以上連続して行われなかった場合に、省電力のためにバックライトを消して画面を暗くする機能を備えている電子機器において、消灯待ち時間も容易に変更できるようにしたことを特徴とする。
【００６６】
図１１を参照すると、本実施の形態の電子機器１０ｂは、ロック手段１の代わりにロック手段１ｂを備えている点、および、消灯待ち時間記憶部６を備えている点が図１に示した電子機器１０と相違している。ここでは、第１の実施の形態との相違部分について説明する。
【００６７】
消灯待ち時間記憶部６には、表示部５のバックライトを消すまでの消灯待ち時間が記録される。なお、消灯待ち時間のデフォルト値は、ロック待ち時間のデフォルト値よりも短くなっている。
【００６８】
ロック手段１ｂは、次のような機能を備えている。
【００６９】
・消灯待ち時間記憶部６に記録されている消灯待ち時間以上連続して入力操作が行われなかった場合、表示部５のバックライトを消灯する機能。
【００７０】
・バックライトが消灯した後、所定時間が経過するまでの間に入力操作が行われなかった場合、消灯待ち時間記憶部６にデフォルト値を記録し、表示部５にロック画面を表示し、自機器１０ｂをロックする機能。ここで、上記所定時間としては、ロック待ち時間記憶部３に記録されているロック待ち時間と消灯待ち時間記憶部６に記録されている消灯待ち時間との差分とすることができる。
【００７１】
・バックライトが消灯した後、上記所定時間が経過するまでの間に何らかの入力操作が行われた場合、消灯待ち時間記録部６に記録されている消灯待ち時間と、消灯待ち時間のデフォルト値との加算結果を消灯待ち時間記憶部６に記録し、表示部５に通常画面を表示する機能。
【００７２】
なお、ロック手段１ｂ及びロック解除手段２は、前述したと同様にして、ＣＰＵによって実現することができる。
【００７３】
次に、本実施の形態の動作について説明する。なお、ロック手段１ｂの動作以外は、第１の実施の形態と同様であるので、ここでは、ロック手段１ｂの動作を説明する。
【００７４】
図１２を参照すると、ロック手段１ｂは、消灯待ち時間記憶部６に記録されている消灯待ち時間以上連続して入力部４が操作されなかった場合（ステップＳ１２０１がＹｅｓ）、表示部５のバックライトを消灯し、画面を暗くする（ステップＳ１２０２）。
【００７５】
次いで、ロック手段１ａは、バックライトを消灯後、所定時間が経過するまでの間に何等かの入力操作が行われたか否かを判定する（ステップＳ１２０３）。
【００７６】
そして、何等かの入力操作が行われている場合（ステップＳ１２０３がＹｅｓ）は、消灯待ち時間記憶部６に記録されている消灯待ち時間とデフォルトの消灯待ち時間とを加算し、加算結果を消灯待ち時間記憶部６に記録する（ステップＳ１２０９）。その後、表示部５に通常画面を表示し（ステップＳ１２１０）、ステップＳ１２０１の処理に戻る。
【００７７】
これに対して、入力部４が操作されていないと判定した場合（ステップＳ１２０３がＮｏ）は、消灯待ち時間記憶部６にデフォルトの消灯待ち時間を記録し（ステップＳ１２０４）、次いで、表示部５にロック画面を表示し、その後、自機器１０ｂをロックする（ステップＳ１２０５，Ｓ１２０６）。なお、上記所定時間として、差分＝（ロック待ち時間−消灯待ち時間）を使用した場合、消灯待ち時間の方がロック待ち時間よりも長ければ、ステップＳ１２０３の判定結果は、常にＮｏとなり、ステップＳ１２０４以降の処理が行われる。
【００７８】
また、ロック手段１ｂは、自機器１０ｂのロックがロック解除手段２によって解除された場合（ステップＳ１２０７がＹｅｓ）は、ステップＳ１２０１に処理を行う。また、ロック解除手段２からロック指示が送られてきた場合（ステップＳ１２０８がＹｅｓ）は、ロック画面を表示し、自機器１０ｂをロック状態にする（ステップＳ１２０５，Ｓ１２０６）。
【００７９】
なお、本実施の形態では、ロック解除手段として、第１の実施の形態のロック解除手段２を使用するようにしたが、図７に示した第２の実施の形態のロック解除手段２ａを使用するようにしても良い。また、本実施の形態では、ステップＳ１２０９でデフォルト値だけ消灯待ち時間を延長させるようにしたが、延長させる時間はこれに限られるものではない。また、本実施の形態では、ステップＳ１２０９で消灯待ち時間を長くするようにしてが、消灯待ち時間を所定時間短くするようにしても良い。
【００８０】
[第３の実施の形態の効果]
本実施の形態によれば、第１または第２の実施の形態で得られる効果に加え、消灯待ち時間を容易に変更することができるという効果を得ることができる。その理由は、入力操作なしに消灯待ち時間が経過したことを示す画面（バックライトが消され、暗くなった画面）が表示されているときに、何等かの入力操作を行うだけで、消灯待ち時間を変更できるからである。
【００８１】
[本発明の第４の実施の形態]
次に、本発明の第４の実施の形態について説明する。
【００８２】
図１３を参照すると、本実施の形態の電子機器は、ロック待ち時間記憶部１３１と、ロック手段１３２と、ロック解除手段１３３とを備えている。
【００８３】
ロック待ち時間記憶部１３１には、ロック待ち時間が記録される。ロック手段１３２は、ロック待ち時間記憶部１３１に記録されているロック待ち時間以上連続して、入力操作が行われなかった場合、表示部にロック画面を表示すると共に、自機器をロック状態にする。ロック解除手段１３３は、自機器がロック状態のときに入力操作が行われた場合、上記表示部に、パスワード入力欄と変更操作部とを有するロック解除画面を表示する。そして、パスワード入力欄に入力されたパスワードに応じてロック状態を解除するか否かを決定し、解除すると決定した場合に上記変更操作部の操作に応じて、ロック待ち時間記憶部１３１に記録されているロック待ち時間を変更する。
【００８４】
[第４の実施の形態の効果]
本実施の形態によれば、ロック解除時に、ロック解除操作とロック待ち時間の変更操作とを同時に行うことができるという効果を得ることができる。その理由は、ロック解除画面に、パスワードの入力欄と、変更操作部とを設けたからである。
【産業上の利用可能性】
【００８５】
本発明は、スマートフォン、タブレット、携帯電話機、ノート型ＰＣ、デスクトップ型ＰＣなど、スクリーンロック機能を備えた電子機器に適用できる。
【符号の説明】
【００８６】
１・・・ロック手段
２，２ａ・・・ロック解除手段
２１，２１ａ・・・制御手段
２２・・・デフォルト値記憶部
２３・・・延長時間記憶部
２４・・・短縮時間記憶部
２２ａ・・・入力値記憶部
３・・・ロック待ち時間記憶部
４・・・入力部
５・・・表示部
１０，１０ｂ・・・電子機器
１３１・・・ロック待ち時間記憶部
１３２・・・ロック手段
１３３・・・ロック解除手段
【要約】
【課題】ロック解除時に、ロック解除操作とロック待ち時間の変更操作とを同時に行うことができないという課題を解決する。
【解決手段】  ロック待ち時間記憶部１３１には、ロック待ち時間が記録される。ロック手段１３２は、ロック待ち時間記憶部１３１に記録されているロック待ち時間以上連続して、入力操作が行われなかった場合、表示部にロック画面を表示すると共に、自機器をロック状態にする。ロック解除手段１３３は、自機器がロック状態のときに入力操作が行われた場合、上記表示部に、パスワード入力欄と変更操作部とを有するロック解除画面を表示する。そして、パスワード入力欄に入力されたパスワードに応じてロック状態を解除するか否かを決定し、解除すると決定した場合に上記変更操作部の操作に応じて、ロック待ち時間記憶部１３１に記録されているロック待ち時間を変更する。
【選択図】図１３【図１】
0005569615.tif 000002
【図２】
0005569615.tif 000003
【図３】
0005569615.tif 000004
【図４】
0005569615.tif 000005
【図５】
0005569615.tif 000006
【図６】
0005569615.tif 000007
【図７】
0005569615.tif 000008
【図８】
0005569615.tif 000009
【図９】
0005569615.tif 000010
【図１０】
0005569615.tif 000011
【図１１】
0005569615.tif 000012
【図１２】
0005569615.tif 000013
【図１３】
0005569615.tif 000014